(57)【要約】      （修正有）【課題】平面で無いタイプのドアに、簡単に綺麗に設置することができる後付けのペット用扉を提供する。【解決手段】額縁５とドア１１との隙間を埋めるスペーサー６，７とモールカバー８を用意する。スペーサー６，７は外側用スペーサー７と内側用スペーサー６があり、モールカバー８は飾りモール用カバー８がある。このスペーサー６，７及びモールカバー８を額縁５に取り付けることにより額縁５からドア１１までの隙間に対応するペット用扉を構成する。また、飾りモールカバー８の部分は形が複雑なのでユーザーに削ってもらうために、柔らかな削りやすい素材、たとえば、バルサ材などで構成する。そして、モールカバー８の木材の筋目の向きも削りやすい方向になるように額縁５に設置する構成とした。【選択図】図１
2015074880.tif 000002
【特許請求の範囲】
【請求項１】
平面でないドアにペット用扉取り付けるために、ペット用扉をドアに固定する部分である額縁（５）とドアとの間にできる隙間を埋める。その隙間分の寸法のドアの内側（２）に当たる部分の内側用スペーサー（６）とドアの外側（１）に当たる部分の外側用スペーサー（７）と飾りモール（３）に当たる部分の飾りモールカバー（８）を額縁（５）に取り付けることを特徴とするドア用ペット扉。
【請求項２】
飾りモールカバー（８）はユーザーに加工してもらうため柔らかく削りやすい素材にする。また、木材の木目の向きも削りやすい方向で額縁（５）に取り付けることを特徴とする請求項１に記載のドア用ペット扉。
【請求項３】
額縁（５）に取り付られた内側用スペーサー（６）と外側用スペーサー（７）にはドアに固定するための両面テープが張ってあることを特徴とする請求項１に記載のドア用ペット扉。
【請求項４】
内側用スペーサー（６）と外側用スペーサー（７）と飾りモールカバー（８）を一体化したタイプのスペーサー（１４）を有することを特徴とする請求項１または請求項３に記載のドア用ペット扉。
【発明の詳細な説明】
【技術分野】
【０００１】
本発明は、平面でないドアに後付けで取り付ける、ペット用扉に関するものである。
【背景技術】
【０００２】
近年、小型犬や猫を室内で飼うケースがたいへん多くなった。これによりペット用トイレを設置している場所と居間との間のドアはペットが通るために開けっ放しにしているのが現状だ。しかし、これでは冷暖房上よくない。よってペットが通るための小さい扉が必要になる。次にペット用扉を設置する場合、壁に設置できればいいのだが、壁には家具などが置いてあり以外と設置できないケースが多い。
【０００３】
あとは室内ドアに設置する方法が残されている。しかし、近年多くの室内ドアはデザイン上の都合で段差や飾りモールなどによって平面で無いタイプのドアが多い。そして、平面で無いタイプのドアに取り付けることができるペット用扉は無かった。よって、多くのペットの飼い主はペットのためにドアを開け放しにしている。それにより多くの冷暖房のエネルギーを無駄にしているのが現状だ。
【発明の概要】
【発明が解決しようとする課題】
【０００４】
平面で無いタイプのドアは、厚みのある外側と厚みの薄い内側、そして外側と内側の間の飾りモールで構成されているドアが多い。
そして、室内で飼われているペットは小型が多く、ペット扉の取り付け位置はおのずと低い位置になる。そして、その位置はどうしても外側と内側の段差、そして飾りモールの部分にかかってしまう。
【０００５】
しかも、室内ドアは多くの製造メーカーが有り、数多くの外側と内側の厚みと飾りモールの形状が存在する。よって、いかにして数多くの種類のサイズと形に対応して取り付けられるかが大きな課題となる。
【０００６】
また木工加工技術の無いユーザーにおいてもできるだけ簡単に又、見た目が綺麗に取り付けられるかが大きな課題である。
【課題を解決するための手段】
【０００７】
まず、ペット用扉は額縁によってドアに固定されている。なので、額縁とドアの外側と内側との間にできる隙間分の寸法の外側用スペーサーと内側用スペーサーを用意して額縁に貼り付けることにより、段差のあるドアに取り付けることができる。
【０００８】
そして次に飾りモールの部分だが、飾りモールの部分と額縁の隙間は複雑な形になる。よって、額縁と飾りモールとの隙間を覆うカバーをユーザーによって飾りモールの形に合わせて削ってもらう。よってカバーは柔らかな削りやすい素材を使用する。たとえば、バルサ材など。そして、木材の木目の向きも削りやすい方向になるように額縁に設置する
【０００９】
また、額縁の幅を広くとる。これにより図５の穴のように少しばかりギザギザにカットされた穴でも額縁の幅がカバーとなり、綺麗な仕上がりとなる。また、額縁の固定にはスペーサーに張られた両面テープにより、簡単にドアに貼り付け固定することができる。
以上の手段により、平面で無いタイプのドアに後付けでペット用扉を簡単に綺麗に取り付けることができる。
【発明の効果】
【００１０】
いろいろサイズの違うスペーサーを用意することによって、いろいろなサイズのドアに対応できる。複雑な飾りモールの部分も柔らかな削りやすい素材にすることでユーザーが簡単に削ることができる。
本発明を使えば不器用な人でも簡単に綺麗にペット用扉を設置できる。よってドアを閉めることができるので冷暖房の節約につながる。
【図面の簡単な説明】
【００１１】
【図１】図１は平面で無いドアに本発明を取り付けた一部断面斜視図である
【図２】図２は本発明をドアに取り付けた状態の断面図と型紙（１５）である。
【図３】図３は本体の雄側（１２）の一部分解斜視図である。
【図４】図４は本体の雌側（１３）の一部分解斜視図である。
【図５】図５は本体の雄側（１２）をドアに取り付けた一部断面一部透過斜視図である。
【図６】図６は一体化タイプのスペーサー（１４）を本体の雄側（１２）と本体の雌側（１３）に取り付けた解斜視図である。
【発明を実施するための形態】
【００１２】
以下、本発明の実施の形態を図面に基づき詳細に説明する。    
図１はよくあるタイプの室内ドアである。構成としては、ドアの外側(1)が厚くドアの内側(2)が薄く作られている。そしてドアの外側(1)とドアの内側(2)が、飾りモール(３)により仕切られている。
本発明はこのような構成のドア（１１）に取り付けることができる、ペット用扉である。
【００１３】
そもそも、室内で飼われているペットは小型が多く、ペット用扉の取り付け位置はおのずと図１のように低い位置になる。よって、ペット用扉はドアの外側（１）とドアの内側（２）と飾りモール（３）の三カ所の部分に掛かってしまう。なので、ペット用扉を取り付けるためには、この三カ所に対応しなければならない。
【００１４】
まず従来より存在する平面ドア用ペット用扉は、ユーザーがドアに開けた穴に、通路（９）を通す。そして、その通路（９）を額縁（５）がドアの裏表より挟み込んでドアに固定していた。そして、額縁（５）により、ドアの穴はカバーされて隠された。
【００１５】
しかし、従来の平面ドア用ペット用扉の額縁（５）では、平面で無いドアの、ドアの外側（１）とドアの内側（２）と飾りモール（３）の三カ所の部分が、でこぼこで取り付けることができない。よって図２のようにドア（１１）と額縁（５）との間にできる隙間分の寸法の内側用スペーサー（６）と外側用スペーサー（７）を額縁（５）に取り付ける。
そして、内側用スペーサー（６）と外側用スペーサー（７）にはドア（１１）に固定されるための両面テープが張ってある。以上の本発明の構成によって、額縁（５）を綺麗に隙間無くドア（１１）に固定できる。また、内側用スペーサー（６）と外側用スペーサー（７）の厚みをいろいろ変えることにより、いろいろな厚みのドアに対応できる。
【００１６】
次に飾りモール（３）の部分だが、飾りモール（３）は額縁（５）の取り付けのじゃまになる。しかし飾りモール（３）を平らに削るのはノミなどが必要になり加工が大変難しくミスし易い。よって、ドアの飾りモール（３）はそのままにしておく。額縁（５）との隙間は飾りモールカバー（８）で覆うようにする。
【００１７】
また飾りモール（３）の形状は数多くの種類が存在する。よって形状が完全に一致する飾りモールカバー（８）を全種類用意するのは大変難しい。なのでこの飾りモールカバー（８）は飾りモール（３）の形に合わせてユーザーに加工してもらう。そのために加工し易いように飾りモールカバー（８）は柔らかく削りやすい素材にする。また、木材の木目の向きも削りやすい方向になるように額縁（５）に設置する。以上で額縁（５）と飾りモール（３）の部分の隙間を飾りモールカバー（８）で覆うことができる。
【００１８】
また飾りモール（３）の形がよくある代表的な場合は、図６のように内側用スペーサー（６）と外側用スペーサー（７）と飾りモールカバー（８）を一体化した一体化タイプのスペーサー（１４）を用意するとユーザーの加工が無いのでより簡単に取り付けられる。
【００１９】
図３及び図４は本発明の構成である。
本発明はおおまかに本体の雄側（１２）と本体の雌側（１３）の二つによって構成される。
図４のように額縁（５）に内側用スペーサー（６）と外側用スペーサー（７）と飾りモールカバー（８）が張られているのが本体の雌側（１３）である。それに、図３のように通路（９）と扉（１０）が取り付けられた方が本体の雄側（１２）である。そして、本体の雄側（１２）と本体の雌側（１３）をドア（１１）の穴の表側と裏側からドアを挟んではめ込むと図１のような完成形となる。
【実施例１】
【００２０】
次に実施例として本発明の売買取引と取り付け手順を説明する。
まず、販売者は数種類の代表的なドアの断面の図形ファイルを、ホームページに用意しておく。ユーザーはその中から自分のドアに一番近い形の図形ファイルを選び。図形ファイルをダウンロードする。その図形ファイルを実際のスケールにあうようにプリントアウトする。そして、その用紙に画用紙などの固めな紙などに貼り付けて、余分なところをハサミでカットして、図２の左側のような部分の型紙（１５）を作る。
【００２１】
ユーザーは型紙（１５）を基準にしてドアの外側(1)とドアの内側(2)の正確な厚みを測定する。そして飾りモール（３）の形状も調べる。ユーザーはそのデータを基に販売者に注文を出す。
受注した販売者は注文にあわせて内側用スペーサー（６）と外側用スペーサー（７）と通路（９）の厚みなどを調整加工し、飾りモールカバー（８）を荒削りする。
そして販売者はドアに穴を開けるためのドリルやジグソーその他諸々の工具セットも用意しておき希望者には、製品と一緒にユーザー宅に配達する。
【００２２】
製品が届いたらドアに本体の雌側（１３）をドアに当てて飾りモール（３）の形に合わせてユーザー自身が彫刻刀などで飾りモールカバー（８）を微調整加工する。
次にドアに通路（９）を通す穴を開ける。
本体の雌側（１３）をドアに当てて通路（９）が通る大きさの下書きをする。下書きに沿ってドリルやジグソーなどで下書きよりやや大きな穴を開ける。当然その穴は図５のように切り口のがたがたな穴になる。
【００２３】
しかし、額縁（５）の幅の分だけ隠してくれるので、少しばかりのカット面の曲がりはカバーされる。
そして、両面テープで本体の雌側（１３）をドアに貼り付ける。そして次にドアの反対側から本体の雄側（１２）の通路（９）を本体の雌側（１３）にはめ込む。そして本体の雄側（１２）の飾りモールカバー（８）を微調整加工する。飾りモールカバー（８）が飾りモール（３）の形に一致すれば両面テープにより本体の雄側（１２）をドアに貼り固定して取り付け完了である。
【００２４】
又、飾りモールの形が型紙（１５）とぴったり一致した場合、ユーザーの微調整加工が必要でないので、図６のように内側用スペーサー（６）と外側用スペーサー（７）と飾りモールカバー（８）を一体化した一体化タイプのスペーサー（１４）も販売者は用意しておくと、ユザーの作業が減ってより簡単に取り付けられる。
【産業上の利用可能性】
【００２５】
本発明は木材加工業者及び木材販売業者の産業、そして電動工具などの木材加工工具産業で利用することができる。
【符号の説明】
【００２６】
１      ドアの外側
２      ドアの内側
３      飾りモール
４      ペット      
５      額縁
６      内側用スペーサー
７      外側用スペーサー
８      飾りモールカバー
９      通路
１０    扉
１１    ドア
１２    本体の雄側  
１３    本体の雌側  
１４    一体化タイプのスペーサー
１５    型紙
【図１】
2015074880.tif 000003
【図２】
2015074880.tif 000004
【図３】
2015074880.tif 000005
【図４】
2015074880.tif 000006
【図５】
2015074880.tif 000007
【図６】
2015074880.tif 000008